(57)【要約】【課題】従来の送信画像の改竄防止技術は、複写機、ファクシミリ、スキャナを備えたコンピュータ及びサーバ等の情報処理装置を対象としており、即時性を有する携帯通信端末等を対象としたものではなかった。また、送信者の判断で、送信情報を暗号化する部分としない部分に区分していた。【解決手段】デジタルカメラを有する携帯送信装置であって、画像撮影手段と、テキスト情報入力手段と、画像情報とテキスト情報を対応付けする対応付け手段と、画像情報とテキスト情報を並べて暗号化する暗号化手段と、画像情報とテキスト情報に電子署名を添付する電子署名添付手段と、暗号化された画像情報，テキスト情報と電子署名を送信する送信手段と、少なくとも前記送信した情報を格納する情報格納手段と、前記各手段を実行するプログラム、とを備えた画像送信装置を提供する。【選択図】  図１
2004172852.tif 000002
【特許請求の範囲】
【請求項１】
デジタルカメラを有する携帯送信装置であって、
画像撮影手段と、テキスト情報入力手段と、画像情報とテキスト情報を対応付けする対応付け手段と、画像情報とテキスト情報を並べて暗号化する暗号化手段と、画像情報とテキスト情報に電子署名を添付する電子署名添付手段と、暗号化された画像情報，テキスト情報と電子署名を送信する送信手段と、少なくとも前記送信した情報を格納する情報格納手段と、前記各手段を実行するプログラム、とを備えたことを特徴とする電子署名付き画像送信装置。
【請求項２】
画像情報とテキスト情報を並べて暗号化する前に、画像情報を改竄不能化することを特徴とする、請求項１に記載の電子署名付き画像送信装置。
【請求項３】
テキスト情報には、少なくとも撮影日時、送信者の識別コードが含まれることを特徴とする請求項１、２何れか１項に記載の電子署名付き画像送信装置。
【請求項４】
テキスト情報には、少なくとも撮影日時、画像送信装置の識別コードが含まれることを特徴とする請求項１、２何れか１項に記載の電子署名付き画像送信装置。
【発明の詳細な説明】
【０００１】
【発明の属する技術分野】
本発明は、携帯端末から送信される画像情報を改竄不可能な状態で送信する電子署名付き画像送信装置に関する。
【０００２】
【従来の技術】
近年、通信手段付きデジタルカメラや、デジタルカメラ付き携帯電話が日常的に利用されている。
しかし、簡便に撮影、送信できるために、送信された画像を受信側が自由に流用し著作権、肖像権問題に発展するケースも発生している。
また、送信された画像は、デジタル画像のためパーソナルコンピュータ、画像修正端末にダウンロードされ、受信者の自由な修正加筆を許していた。
そのことは、例えば証拠写真として送信された画像がコピーされて利用される際に、送信画像の内容が改竄されている可能性があるために、貴重な証拠写真でありながら証拠写真として使用できないという事態が発生する。
また、送信途中で撮影した時間、撮影者、撮影場所が改竄されて実質的に証拠写真として使用できない事態も発生する。
【０００３】
そこで、文書画像を文書データに変換する際に文書データに含まれる領域や階層等に対して、個別に暗号化及び復号を施す技術が開示されている。
この技術は、文書画像をオブジェクト単位に分割し、オブジェクト毎に暗号化することを可能にした情報処理装置であるとしている（特許文献１参照）。
【０００４】
【特許文献１】
特開２００２−３１８５３５号公報
【０００５】
【発明が解決しようとする課題】
前記従来技術は、複写機、ファクシミリ、スキャナを備えたコンピュータ及びサーバ等の情報処理装置を対象としており、即時性を有する携帯通信端末を対象としたものではなかった。
また送信者の判断で、送信情報を暗号化する部分としない部分に区分していたために、送信者が選択しない大切な情報が暗号化されず、送信途中で改竄される危険性を含んでいた。
【０００６】
【課題を解決するための手段】
前記課題を解決するために、本発明の電子署名付き画像送信装置の請求項１に記載の発明は、デジタルカメラを有する携帯送信装置であって、画像撮影手段と、テキスト情報入力手段と、画像情報とテキスト情報を対応付けする対応付け手段と、画像情報とテキスト情報を並べて暗号化する暗号化手段と、画像情報とテキスト情報に電子署名を添付する電子署名添付手段と、暗号化された画像情報，テキスト情報と電子署名を送信する送信手段と、少なくとも前記送信した情報を格納する情報格納手段と、前記各手段を実行するプログラム、とを備えたことを特徴とするものである。
【０００７】
また、請求項２に記載の発明は、請求項１に記載の発明において、画像情報とテキスト情報を並べて暗号化する前に、画像情報を改竄不能化することを特徴とするものである。
【０００８】
また、請求項３に記載の発明は、請求項１、２何れかに記載の発明において、テキスト情報には、少なくとも撮影日時、送信者の識別コードが含まれることを特徴とするものである。
【０００９】
また、請求項４に記載の発明は、請求項１、２何れか１項に記載の発明において、テキスト情報には、少なくとも撮影日時、画像送信装置の識別コードが含まれることを特徴とするものである。
【００１０】
【発明の実施の形態】
以下図面を参照して本発明の電子署名付き画像送信装置の好適な一実施形態について説明する。
図１は、本発明の電子署名付き画像送信装置の一実施形態に係わるシステムの構成を示す図、図２は、本発明の電子署名付き画像送信装置内部の主な部品構成を示すブロック図、図３は、撮像部周辺の部品構成を示すブロック図、図４は、本発明の電子署名付き画像送信装置使用による画像情報送信手順の一実施形態について説明するための図、である。
【００１１】
図１を参照して、本発明の電子署名付き画像送信装置の一実施形態に係わるシステムの構成について説明する。
本発明に係わるシステムは、画像を撮像して画像データと、少なくとも画像識別データ（テキストデータ）と、電子署名からなる送信データ３を送信する携帯型の画像送信装置（以下携帯通信端末という）１と、送信データを受信する複数の携帯電話１０、複数のサーバー２で構成される。
携帯通信端末には、携帯電話、ＰＤＡ（Ｐｅｒｓｏｎａｌ  Ｄｉｊｉｔａｌ  Ａｓｓｉｓｔａｎｔ）と呼ばれる携帯端末、腕時計等がある。
また、携帯電話には、撮像部を備えた携帯電話と、撮像部を備えていない携帯電話がある。
そこで、本発明の好適な一実施の形態として、以下の説明では撮像部を有する携帯電話の例で説明する。
【００１２】
図１に示す携帯電話１は、撮像部１１、入力部１２、表示部１３が表示部側に設けられている。携帯電話の機種によっては、撮像部が表示部１３の裏側に設けられているものもある。
また、入出力部１２は、撮像部１１、スピーカー部（図示せず）、マイク部、操作キーで構成される。
前記操作キー部は、例えば、電源キー、電話番号を入力するための数字キー、電子メールを入力するためのアルファベット、または仮名キー、ファンクションキー、撮像部のシャッター、等で構成されている。
【００１３】
携帯電話１の所持者が撮像部１１によって被写体を撮影すると、撮影された画像はファイル番号が付与されて表示部１３に表示される。所定のファンクションキーを押して画像を一旦記録部に記録して保管する。
【００１４】
アドレス帳から送信先のアドレスを選択し送信先の枠にコピーする。改行キーキーを押してメッセージ入力枠にメッセージを入力する。送信する写真画像を画像名、または画像番号によって画像ファイルから抽出してアドレスに添付する。送信ボタンを操作すると、画像に対して撮影年月日、時間、電話の機種によっては、撮影された場所の緯度、経度などのデータが自動的に添付され、画像データを含め全体に対して改竄防止処置が施される。
【００１５】
改竄防御処置は、画像と、画像に対応する画像対応データをあるコマンド、例えば携帯電話に格納されている固有の数字や記号によるコマンドでグループ化する。受信する携帯電話１０や、サーバー２では、グループ解除のコマンドを持たない限り前述の画像と、画像対応データを分離することができない。
したがって、分離した画像を改竄したり、画像に添付された対応データを改変することもできない。受信側から特別に解除要請がある場合は、送信側からグループ解除のコマンドを受信側に開示してやればよい。
このように送信画像の改竄防御策を講じることによって、送信される画像を改竄や、肖像権，著作権の侵害から護ることができる。
【００１６】
図２を参照して、本発明の電子署名付き画像送信装置（携帯電話機）の部品構成と部品機能の概略について説明する。
図２に示す撮像部１１、入出力部１２、表示部１３、送信部（送受信部）１４は、一部外装パネルの表面に露出する状態で組み込まれている。
また、ＣＰＵ１００、ＲＯＭ１０１、ＲＡＭ１０２、記録部（情報格納部）１０３、音声変換回路部１０４、時計部１０５等が内蔵部品として電話機の内部に組み込まれている。
【００１７】
まず、図２、図３を参照して撮像部１１の周辺の部品と、その役割について説明する。
図３において、撮像部１１によって撮影された被写体の撮影画像はＣＣＤ３００によって画像信号に変換される。
制御部であるＤＳＰ／ＣＰＵ３０３は、デジタル画像信号の制御と、撮像部１１の制御を行う。
制御部ＤＳＰ／ＣＰＵ３０３には、ＣＣＤ３００を駆動するＴＧ（Ｔｉｍｉｎｇ  Ｇｅｎｅｒａｔｏｒ）３０２が接続され、ＴＧ３０２にはＣＣＤ３００と、ユニット回路３０１が接続されている。
ユニット回路３０１は、入力された画像信号を一旦記憶、保管するＣＤＳ、その画像信号を増幅するゲイン調整アンプＡＧＣ、増幅された画像信号をデジタル画像信号に変換するＡ／Ｄ変換器ＡＤで構成されている。
ＣＣＤ３００の出力信号は、ユニット回路３０１を経てデジタル信号として制御部であるＤＳＰ／ＣＰＵ３０３に送られる。
【００１８】
前記ユニット回路、ＣＣＤの他に、制御部ＤＳＰ／ＣＰＵ３０３にはＬＣＤとその駆動回路とからなる表示部３０９、入力信号をＤＳＰ／ＣＰＵ３０３に出力するシャッターボタンや複数の操作キー、電源キー等の入力部３０８、通信部３１０が接続されている。
また、ＡＤＢ（Ａｄｄｒｅｓｓ  Ｄａｔａ  Ｂｕｓ）３０４を介してＩ／Ｏポート３０５、ＲＡＭ３０６、ＥＥＰＲＯＭ等のフラッシュメモリからなる記録部３０７が接続されている。
【００１９】
Ｉ／Ｏポート３０５は、制御部ＤＳＰ／ＣＰＵ３０３でシリアル信号に変換された画像データ等を出力するインターフェースであり、主に外部記録媒体や、外部端末などと接続して記憶された画像データを出力したり、逆に、外部端末から必要なデータを取り込む。
【００２０】
ＲＡＭ３０６は、例えば、撮影待機モードの設定時にＣＣＤ３００によって撮像されたデジタル化画像データを一時保存するとともに、制御部ＤＳＰ／ＣＰＵ３０３のバッファメモリとしても使用する。
【００２１】
記録部３０７は、制御部ＤＳＰ／ＣＰＵ３０３の動作プログラムや各部の制御に使用する各種データ、および、各種の画像を含む送信データ、受信データ、履歴データ等が格納されている。
【００２２】
制御部ＤＳＰ／ＣＰＵ３０３、ＲＡＭ３０６、記録部３０７、それに前述のプログラムメモリＲＯＭは、図２に示すＣＰＵ１００、ＲＡＭ１０２、記録部１０３、ＲＯＭ１０１で代行される場合もある。
また、上記の制御部ＤＳＰ／ＣＰＵ３０３用動作プログラムや各部の制御に使用する各種データを供給するメモリとして独立したＲＯＭが搭載される場合もある。
図３の入力部３０８、表示部３０９、通信部３１０については、図２の入出力部１２、表示部１３、送受信部１４で説明する。
【００２３】
図２の入出力部１２は、撮像部１１、スピーカー部やマイク部（図示せず）、操作キー等で構成される。
操作キー部は、例えば、電源キー、電話番号を入力するための数字キー、電子メール等を入力するためのアルファベット、または仮名キー、ファンクションキー、撮像部のシャッター、等で構成されている。
【００２４】
液晶などによる表示部１３は、ＬＣＤ（Ｌｉｑｕｉｄ  Ｃｒｙｓｔａｌ  Ｄｉｓｐｌａｙ）及びその駆動回路からなり、文字情報や画像情報を表示する。
【００２５】
送受信部１４は、基地局（図示せず）との間で通信プロトコルに基づく通信制御シーケンスを実行するとともに、音声データ、画像データ、テキストデータその他各種データ信号、および制御信号を送受信する。
【００２６】
音声変換回路部１０４は、図示しないがマイクから入力した音声信号、及びスピーカに出力する音声信号等の処理を制御する。
【００２７】
時計部１０５は、前述の画像を撮影した年月日、時刻等に関するデータ、携帯電話からデータを送受信した年月日、時刻等をＣＰＵ１００に出力する。
【００２８】
図２に示すＲＯＭ１０１、ＲＡＭ１０２、記録部１０３、入出力部１２、表示部１３、送受信部１４については、一部図３における説明と重複する。
【００２９】
ＲＯＭ１０１には、制御部であるＣＰＵ１００の動作プログラム、通信処理プログラム、それに各部の制御に使用する各種プログラムが記憶されている。
【００３０】
ＲＡＭ１０２は、待機モードの設定時にデータを一時保存するとともに、ＣＰＵ１００のバッファメモリとして機能する。ＣＣＤ（３００）によって撮像されたデジタル化画像データの一時保管として使用する場合もある。
【００３１】
記録部１０３には、外部の通信端末等から受信した電子メールや、送信済みの電子メール、及び送信が保留された電子メール、撮影された画像データ、及びその対応データを格納する。
記録部に使用されているメモリは、ＥＥＰＲＯＭ等の電源がオフ状態にあるとき、及び電池の交換に際しても記憶データが保持される電気的に消去可能な不揮発性メモリである。
【００３２】
図４を参照して、本発明の電子署名付き画像送信装置使用による画像情報送信手順の一実施形態について説明する。
まず最初のステップ（以下Ｓで表示する）で携帯通信端末１は、ＣＡ（Ｃｅｒｔｉｆｉｃａｔｉｏｎ  Ａｕｔｈｏｒｉｔｙ）と呼ばれる証明機関から対を成す公開鍵，秘密鍵と電子証明書、または、公開鍵証明書を取得する（Ｓ１）。
この電子証明書は、例えば新聞社の記者、または、カメラマンが取材中にデジタル画像を、支社又は、本社に送信する際に送信画像が傍受され改竄されないように、受信者側に公開する公開鍵で画像を暗号化するためのものである。
公開鍵暗号方式の公開鍵、秘密鍵を使用するのが一般的であるが、前述の新聞社等の場合は、厳密に管理された共通鍵によって暗号化されても良い。
この共通鍵の場合は、企業対従業員、団体対従業員の間の通信で、例えば、企業、団体の企業ネットを通じて従業員に貸与している前記画像送信装置に従業員に知らせることなく組み込むことができる。
また、共通鍵を使用した場合、企業側は定期的な鍵の変更を自由にできるメリットがある。
【００３３】
携帯通信端末の所持者、または管理者は、事前に取得し、保管している公開鍵、および、それを証明する電子証明書、秘密鍵を撮像部を有する携帯電話などの携帯通信端末に、読出し不能に格納する（Ｓ２）。
【００３４】
次に、電子証明書と秘密鍵が格納された携帯通信端末の撮像部で被写体を撮影する（Ｓ３）。
撮影された画像は、携帯通信端末の特殊なコマンドによって改竄不可能な状態に処理される（Ｓ４）。前述のように、特殊なコマンドは、携帯通信端末の機械番号であっても、企業、団体が定めた特殊な記号群、秘密鍵でもよい。
固定される画像には、撮影された日付、時刻、撮影した装置番号、場合によっては緯度、経度情報が添付される。
上記処理された画像は、画像検索コード、または、検索メッセージ（画像名）が対応付けされて携帯通信端末に保管される。
【００３５】
通信携帯端末のテキスト情報入力画面で画像に関する文字情報を入力する（Ｓ５）。文字情報には入力した携帯通信端末固有コードや、少なくとも日付情報が自動的に添付される（Ｓ６）。
ここで、一時保管されている前述の画像情報が呼び出され、上述の文字情報と一緒に携帯通信端末の記録部に格納されている秘密鍵によって暗号化される（Ｓ７）。
画像情報、文字情報のハッシュ値を暗号化して電子署名として添付する（Ｓ８）。
上述の、暗号化された、画像を含む文字情報に電子署名を添付して送信先に送信する（Ｓ９）。
【００３６】
前述の一連の説明では、画像情報を改竄から護るために、対応情報を含めて固定する方法を説明した。しかし、信頼関係にある会社の編集部と、記者のような間では、対応情報を含めた画像情報を改竄防止のために固定する必要がない場合がある。そのような場合には、送信途中の盗聴、改竄を防止するための暗号化だけの処置を行うだけでもよい。
【００３７】
Ｓ４の改竄不能化処理、Ｓ６の日付情報入力、Ｓ７の暗号化処理、Ｓ８の電子署名作成の作業は、携帯通信端末の中で入力ステップＳ３、Ｓ５に同調して自動的に行われる。
【００３８】
【発明の効果】
本発明の電子署名付き画像送信装置を使用することによって、画像を送信する送信者と、画像を受信する受信者は、下記のメリットを享受することができる。１）画像に添付される対応データ例えば、撮影日時、撮影者または、撮影装置コードを安全に送信することができる。即ち改竄された場合は、電子署名添付によって改竄の証拠を残すように送信することができる。
２）撮影時の画像固定処理、または、送信時に行う電子署名により、送信されたデジタル画像を改竄から保護することができる。
３）撮影と同時に送信可能な装置の場合、送信者側と受信者側の時間記録によって画像が改竄されていないことが証明され、画像の信憑性を高めることができる。また、正確な時間データ、ＧＰＳ機能による撮影場所のデータを添付することによって証拠写真としての価値を高めることができる。
その結果、新聞社や雑誌社などの正確性と迅速性が要求される報道写真、犯罪現場写真等に効果的に利用できる。
【図面の簡単な説明】
【図１】本発明の電子署名付き画像送信装置の一実施形態に係わるシステムの構成を示す図
【図２】本発明の電子署名付き画像送信装置内部の主な部品構成を示すブロック図
【図３】撮像部周辺の部品構成を示すブロック図
【図４】本発明の電子署名付き画像送信装置使用による画像情報送信手順の一実施形態について説明するための図
【符号の説明】
１      本発明の電子署名付き画像送信装置
２      サーバー
３      送信データ
１０    他の携帯電話
１１    撮像部
１２，３０８  入力部
１３，３０９  表示部
１４    送受信部
１００  ＣＰＵ
１０１  ＲＯＭ
１０２，３０６  ＲＡＭ
１０３，３０７  記録部
１０４  音声変換回路部
１０５  時計部
３００  ＣＣＤ
３０１  ユニット回路
３０２  タイミングジェネレーター
３０３  制御部
３０４  アドレスデータバス
３０５  ＩＯポート
【図１】
2004172852.tif 000003
【図２】
2004172852.tif 000004
【図３】
2004172852.tif 000005
【図４】
2004172852.tif 000006